(57)【要約】【課題】基材の透明・不透明を問わず、同一の基材上に潜像パターンと可視化パターンの両者を配置し、両者を折り重ねて潜像の有無を判定できる判定シートを提供すること。【解決手段】基材シート１上に潜像パターン１１，１２と可視化パターン１３とを区分して設けることにより構成され、折り曲げて潜像パターンに可視化パターンを重ね合わせることにより潜像を可視化する判定シートであって、潜像パターンが潜像と背景とで構成されていて、潜像が黒色部分から構成されており、他方、背景が黒色部分と白色部分の両者から構成されており、前記可視化パターンが基材シートに設けられた多数の貫通孔で構成されていて、前記潜像パターンに可視化パターンを重ね合わせたとき、前記潜像パターンの背景のうち黒色部分を基材シートが遮蔽すると共に、多数の前記貫通孔を透して前記潜像を透視可能であるように、前記貫通孔が配置されている。【選択図】図１
2015089621.tif 000002
【特許請求の範囲】
【請求項１】
基材シート上に潜像パターンと可視化パターンとを区分して設けることにより構成される判定シートであり、この判定シートを折り曲げて潜像パターンに可視化パターンを重ね合わせることにより潜像を可視化する判定シートであって、
前記潜像パターンが潜像とこの潜像の周囲の背景とで構成されていて、潜像が特定の視覚効果（以下、「特定視覚効果」という）を有する部分から構成されており、他方、背景が特定視覚効果を有する部分と有しない部分の両者から構成されており、
前記可視化パターンが基材シートに設けられた多数の貫通孔で構成されていて、前記潜像パターンに可視化パターンを重ね合わせたとき、前記潜像パターンの背景のうち特定視覚効果を有する部分を基材シートが遮蔽すると共に、多数の前記貫通孔を透して前記潜像を透視可能であるように、前記貫通孔が配置されていることを特徴とする判定シート。
【請求項２】
前記貫通孔が径１００μｍ以下の貫通孔であることを特徴とする請求項１に記載の判定シート。
【請求項３】
前記基材シートが不透明なシートであることを特徴とする請求項１又は２に記載の判定シート。
【請求項４】
前記潜像パターンが多数のドットで構成されていることを特徴とする請求項１〜３のいずれかに記載の判定シート。
【請求項５】
前記潜像パターンを複数有しており、これら複数の潜像パターンが相互に異なる潜像を有していることを特徴とする請求項１〜４のいずれかに記載の判定シート。
【請求項６】
前記潜像パターンと可視化パターンとが、基材シートの中心線に関して線対称の位置に配置されていることを特徴とする請求項１〜５のいずれかに記載の判定シート。
【発明の詳細な説明】
【技術分野】
【０００１】
本発明は、潜像を有する潜像パターンに可視化パターンを重ねてその潜像を可視化することにより、前記潜像の有無を判定する判定技術に関するものである。
【０００２】
例えば、債券や商品の真正を保障するセキュリティ・マークとして潜像パターンを使用する場合、これら債券等に貼付された潜像パターンに可視化パターンを重ね、潜像の有無を確認することによって、その債券等が真正なものであるか否かを判定することができる。
【０００３】
また、籤として潜像パターンを使用する場合、その潜像パターンに可視化パターンを重ね、潜像の有無を確認することによって、その当落を判定することができる。
【０００４】
本発明に係る判定技術によれば、前記潜像パターンと可視化パターンは同じ基材に形成されており、この基材が不透明である場合でも、可視化パターンを有する透明シートを別途用意する必要がない。
【背景技術】
【０００５】
潜像を有する潜像パターンに可視化パターンを重ねてその潜像を可視化する判定技術は、例えば、特許文献１に記載されている。
【０００６】
特許文献１に記載の判定技術は、多色刷りされた潜像パターンを利用するもので、その色彩ごとに潜像と背景とが設けられている。潜像は破線状の万線で構成されており、背景は、潜像の万線とは位相が１／２ピッチ異なる破線状の万線で構成されている。そして、やはり破線状の万線で構成された可視化パターンを重ねることにより、その潜像が可視化する。例えば、可視化パターンの万線が潜像の万線と万線との間の余白部分に位置するように重ね合わせると、この潜像の部位では、あたかもベタ印刷が施されているかのように見える。他方、背景においては、この背景の万線と可視化パターンの万線が正確に重ね合わされるため、これら万線と万線との間の余白部分がそのまま維持される。このため、余白部分のない潜像と余白部分の維持された背景とのコントラストによって、潜像が可視化され、認識できるのである。なお、特許文献１に記載の判定技術は、色彩ごとに潜像と背景とが構成されているため、可視化パターンの色彩に応じて、可視化される潜像が異なっている。
【０００７】
ところで、このような判定技術においては、可視化パターンを透してその下に配置された潜像パターンを観察できる必要がある。このため、特許文献１に記載の判定技術では、同一の基材上に潜像パターンと可視化パターンの両者を配置することはできなかった。
【０００８】
一方、特許文献２は、同一の基材上に潜像パターンと可視化パターンの両者を配置した判定シートを記載している。この判定シートによれば、この判定シートを折り曲げて潜像パターン上に可視化パターンを重ねることにより、潜像を可視化することができる。しかし、この場合には、可視化パターンを形成する基材として透明基材を使用する必要があり、例えば紙を基材として使用することができなかった。
【先行技術文献】
【特許文献】
【０００９】
【特許文献１】特開２００４−１７４９９７号公報
【特許文献２】特開２０１１−０６２８７６号公報
【発明の概要】
【発明が解決しようとする課題】
【００１０】
そこで、本発明は、基材の透明・不透明を問わず、同一の基材上に潜像パターンと可視化パターンの両者を配置し、両者を折り重ねて潜像の有無を判定できる判定シートを提供することを目的とする。
【課題を解決するための手段】
【００１１】
すなわち、請求項１に記載の発明は、基材シート上に潜像パターンと可視化パターンとを区分して設けることにより構成される判定シートであり、この判定シートを折り曲げて潜像パターンに可視化パターンを重ね合わせることにより潜像を可視化する判定シートであって、
前記潜像パターンが潜像とこの潜像の周囲の背景とで構成されていて、潜像が特定の視覚効果（以下、「特定視覚効果」という）を有する部分から構成されており、他方、背景が特定視覚効果を有する部分と有しない部分の両者から構成されており、
前記可視化パターンが基材シートに設けられた多数の貫通孔で構成されていて、前記潜像パターンに可視化パターンを重ね合わせたとき、前記潜像パターンの背景のうち特定視覚効果を有する部分を基材シートが遮蔽すると共に、多数の前記貫通孔を透して前記潜像を透視可能であるように、前記貫通孔が配置されていることを特徴とする判定シートである。特定視覚効果としては、例えば、特定の色彩が利用できる。例えば、潜像が黒色を有する部分から構成されており、背景が黒色を有する部分と白色を有する部分から構成されている場合、この両者を前記潜像パターンとして利用できる。
【００１２】
この発明においては、可視化パターンが基材シートに設けられた多数の貫通孔で構成されているため、この基材シートが不透明であっても、これら貫通孔を透して潜像を透視して、その存否を判定できる。
【００１３】
なお、この発明は、同一の基材シート上に潜像パターンと可視化パターンの両者を配置したにも拘らず、この基材シートをコピーしても偽造することができないという付加的な効果も奏する。前記貫通孔をコピーすることはできないからである。
【００１４】
次に、請求項２に記載の発明は、前記貫通孔が径１００μｍ以下の貫通孔であることを特徴とする請求項１に記載の判定シートである。
【００１５】
また、請求項３に記載の発明は、前記基材シートが不透明なシートであることを特徴とする請求項１又は２に記載の判定シートである。
【００１６】
また、請求項４に記載の発明は、前記潜像パターンが多数のドットで構成されていることを特徴とする請求項１〜３のいずれかに記載の判定シートである。
【００１７】
また、請求項５に記載の発明は、前記潜像パターンを複数有しており、これら複数の潜像パターンが相互に異なる潜像を有していることを特徴とする請求項１〜４のいずれかに記載の判定シートである。
【００１８】
また、請求項６に記載の発明は、前記潜像パターンと可視化パターンとが、基材シートの中心線に関して線対称の位置に配置されていることを特徴とする請求項１〜５のいずれかに記載の判定シートである。
【発明の効果】
【００１９】
本発明によれば、潜像パターンの潜像と背景の一部が、いずれも、特定視覚効果を有し
ているため、この潜像パターンを観察しただけでは、潜像と背景とを区別することができず、潜像を認識することができない。そこで、この潜像パターンに可視化パターンを重ね合わせると、特定視覚効果を有する背景部分が遮蔽され、貫通孔を透して潜像を観察して認識することができる。そこで、この潜像の有無によって判定することができる。
【００２０】
そして、本発明においては、可視化パターンが基材シートに設けられた多数の貫通孔で構成されているため、この基材シートが不透明であっても、これら貫通孔を透して潜像を観察できるという効果を奏する。
【図面の簡単な説明】
【００２１】
【図１】本発明に係る判定シートの例を示す平面図。
【図２】前記例における第一の潜像パターンの拡大説明図。
【図３】前記例における第二の潜像パターンの拡大説明図。
【図４】図４（ａ）は前記例における可視化パターンの拡大説明図。図４（ｂ）はその要部断面図。
【図５】図５（ａ）は前記例において第一の潜像パターンに可視化パターンを重ね合わせた状態を示す平面図。図５（ｂ）は第一の潜像パターンに可視化パターンを重ね合わせた状態の説明図。
【図６】図６（ａ）は前記例において第二の潜像パターンに可視化パターンを重ね合わせた状態を示す平面図。図６（ｂ）は第二の潜像パターンに可視化パターンを重ね合わせた状態の説明図。
【発明を実施するための形態】
【００２２】
本発明は、基材シートの表面を区分して、その一部に潜像パターンを配置し、他の一部に可視化パターンを配置して構成される判定シートである。潜像パターンは潜像とその背景とで構成されており、判定シートを折り曲げて潜像パターンに可視化パターンを重ね合わせることにより、潜像が認識可能に可視化する。
【００２３】
本発明において、基材シートは任意のシートでよいが、不透明なシートが好適である。例えば、紙である。また、透明な基材シートを使用することもできるが、前記可視化パターンを配置した領域は不透明である必要がある。例えば、透明プラスチックシートを使用して、その一部又は全部に不透明なインキ層を印刷したシートである。
【００２４】
また、本発明に係る判定シートは、これを折り曲げることにより、潜像パターンに可視化パターンを重ね合わせることができる必要がある。このような理由から、可視化パターンは潜像パターンと同一面積であるか、あるいは、潜像パターンより大きく、潜像パターンを被覆できる面積を有していることが望ましい。
【００２５】
本発明に係る判定シートは、一つの潜像パターンと一つの可視化パターンを有するものであってもよい。この場合には、潜像パターンと可視化パターンとは互いに対応関係にあって、その潜像パターンに可視化パターンを重ね合わせることにより、潜像が認識可能に可視化する必要がある。
【００２６】
また、本発明に係る判定シートは、複数の潜像パターンと一つの可視化パターンを有するものであってもよい。この場合には、複数の潜像パターンのそれぞれに可視化パターンを重ね合わせることにより、いずれの潜像も認識可能に可視化する必要がある。
【００２７】
また、本発明に係る判定シートは、複数の潜像パターンと複数の可視化パターンを有するものであってもよい。この場合には、複数の潜像パターンのそれぞれと、複数の可視化パターンのそれぞれとが対応して、複数の潜像パターンのそれぞれに、複数の可視化パタ
ーンのいずれかを重ね合わせることにより、いずれの潜像も認識可能に可視化する必要がある。例えば、第一の潜像パターンに第一の可視化パターンを重ね合わせて第一の潜像が可視化し、他方、第二の潜像パターンに第二の可視化パターンを重ね合わせることにより第二の潜像が可視化するように構成することができる。なお、第一の潜像パターンに第一の可視化パターンを重ね合わせて第一の潜像が可視化すると共に、この第一の潜像パターンに別の可視化パターン（第二の可視化パターン）を重ね合わせることにより、別の潜像が可視化するように構成することも可能である。
【００２８】
図１は、二つの潜像パターン（第一の潜像パターン１１及び第二の潜像パターン１２）と、一つの可視化パターン１３とを有する判定シート１の例である。この例では、第一の潜像パターン１１に可視化パターン１３を重ね合わせることにより第一の潜像が可視化する。また、第二の潜像パターン１２に可視化パターン１３を重ね合わせることにより第二の潜像が可視化する。
【００２９】
この例では、第一の潜像パターン１１は判定シート１の左下隅に配置されている。その潜像（第一の潜像）１１ａは、図２の拡大説明図に記載のように、アルファベットの「Ｎ」の文字である。なお、図２の拡大説明図においては、第一の潜像１１ａを二点鎖線で囲んで示している。
【００３０】
また、第二の潜像パターン１２は判定シート１の右上隅に配置されている。その潜像（第二の潜像）１２ａは、図３の拡大説明図に記載のように、アルファベットの「Ｔ」の文字である。図３の拡大説明図においては、第二の潜像１２ａを二点鎖線で囲んで示している。
【００３１】
そして、可視化パターン１３は判定シート１の右下隅に配置されている。第一の潜像パターン１１と可視化パターン１３は、判定シート１の短辺に平行な中心線yに関して、線対称の位置に配置されている。このため、判定シート１の両端を揃えるように中心線yから折り曲げて、第一の潜像パターン１１と可視化パターン１３とを重ねると、第一の潜像１１ａ、すなわち、アルファベットの「Ｎ」の文字が可視化する。この例から分かるように、潜像パターンと可視化パターンとを基材シートの中心線に関して線対称の位置に配置しておくと、両端を揃えるように折り曲げることにより、潜像パターンと可視化パターンとを位置合わせして重ね合わせることができる。
【００３２】
また、第二の潜像パターン１２と可視化パターン１３は、判定シート１の長辺に平行な中心線ｘに関して、線対称の位置に配置されている。このため、判定シート１の両端を揃えるように中心線ｘから折り曲げて、第二の潜像パターン１１と可視化パターン１３とを重ねると、第二の潜像１２ａ、すなわち、アルファベットの「Ｔ」の文字が可視化する。
【００３３】
ところで、本発明に係る潜像パターンは、潜像とこの潜像の周囲の背景とで構成されている必要がある。潜像は特定の視覚効果（以下、「特定視覚効果」という）を有する部分から構成されている必要がある。他方、背景は前記特定視覚効果を有する部分と有しない部分の両者から構成されている必要がある。
【００３４】
特定視覚効果としては、例えば、特定の色彩が例示できる。また、光沢や光回折効果であってもよい。いずれにしても、肉眼で観察したときに認識できる効果であることが必要である。また、この特定視覚効果を有する部分と有しない部分とが高いコントラストを有することが望ましい。図１に示す例では、第一の潜像と第二の潜像のいずれもが、黒色の色彩を有している。他方、第一の潜像パターン１１の背景（第一の背景）と第二の潜像パターン１２の背景（第二の背景）のいずれもが、黒色の色彩を有する部分と、黒色の色彩を持たず、黒色部分に対して高いコントラストを生じさせる白色部分とで構成されている
。
【００３５】
このように、特定視覚効果を有する部分が潜像と背景との両者に存在しているから、この潜像パターンを観察したとき、潜像と背景とを分離して、潜像を認知することは困難である。例えば、図１の第一の潜像パターン１１では、黒色の色彩を有する部分が潜像と背景の両者にまたがって存在しており、全体として意味のない模様を構成しているから、これら黒色の色彩を有する部分から潜像（アルファベットの「Ｎ」の文字）を抽出して認知することは不可能である。同様に、第二の潜像パターン１２を観察しても、潜像（アルファベットの「Ｔ」の文字）を認知することは不可能である。
【００３６】
なお、潜像と背景とは、前記特定視覚効果の有無を除き、共通の光学的性質を有していることが望ましい。例えば、図１に示す例では、第一の潜像パターン１１は行列状に配列された多数のドットで構成されており、潜像は、この多数のドットのうち一部のドット１１ａ１で構成されている。また、背景も、多数の前記ドットのうち一部のドット１１ｂ１，１１ｂ２で構成されている。なお、ドット１１ｂ１は前記特定視覚効果を有するドットであり、ドット１１ｂ２は前記特定視覚効果を持たないドットである。そして、これらドット１１ａ１，１１ｂ１，１１ｂ２の全体で第一の潜像パターン１１を構成している。このため、潜像を構成するドット１１ａ１と背景を構成するドット１１ｂ１，１１ｂ２は、いずれも、同一の形状で同一の大きさを有しており、しかも、そのピッチや配列の位相も同一である。このように、潜像と背景とが特定視覚効果の有無を除き、共通の光学的性質を有している場合、潜像と背景を区別する手掛かりが存在しない。このため、第一の潜像パターン１１を観察しても、その潜像を認知することができない。
【００３７】
なお、図１に示す例では、第二の潜像パターン１２も、同様に、行列状に配列された多数のドットで構成されている。そして、第二の潜像パターン１２においても、潜像を構成するドット１２ａ１と背景を構成するドット１２ｂ１，１２ｂ２は、特定視覚効果の有無を除き、共通の光学的性質を有しているため、この第二の潜像パターン１２を観察しても、その潜像を認知することは不可能である。
【００３８】
次に、可視化パターンは、図４に示すように、基材シート１に設けられた多数の貫通孔１３ａで構成されており、この可視化パターンを潜像パターンに重ね合わせたとき、多数の前記貫通孔１３ａを透して前記潜像を透視可能である必要がある。また、背景のうち特定視覚効果を有する部分に前記貫通孔が存在してはならず、これを遮蔽する必要がある。前述のように潜像パターンにおいては、特定視覚効果を有する部分が潜像と背景との両者に存在しているが、可視化パターンを重ねることにより、特定視覚効果を有する部分を潜像と背景とに分離できる。すなわち、特定視覚効果を有する部分のうち、背景を構成するものは遮蔽され、潜像を構成するものは透視可能なのである。
【００３９】
なお、可視化パターンは、前記背景のうち特定視覚効果を有しない部分を透視できるものであってよい。すなわち、可視化パターンを潜像パターンに重ねたとき、特定視覚効果を有しない部分を透視できる貫通孔を有するものを可視化パターンとして使用することができる。この部分が貫通孔を通して透視可能であっても、この部分は特定視覚効果を持たず、他方、潜像は特定視覚効果を有しているから、この特定視覚効果の有無によって背景と潜像とを区別して、潜像を認知することが可能なのである。
【００４０】
また、可視化パターンは、前記背景のうち特定視覚効果を有しない部分を遮蔽するものであってもよい。この場合には、潜像だけが貫通孔を通して透視可能である。
【００４１】
可視化パターンは、前記背景のうち特定視覚効果を有しない部分の一部を透視可能とし、他の部分を遮蔽するものであることが望ましい。仮に可視化パターンが特定視覚効果を有しない部分の全部を遮蔽して潜像だけを透視可能とする貫通孔を有する場合、この貫通孔の配列が肉眼で観察可能であれば、貫通孔の配列から潜像を容易に推定できることになる。また、可視化パターンが特定視覚効果を有しない部分の全部を透視して、背景のうち特定視覚効果を有する部分のみを遮蔽するものである場合、貫通孔の配列が肉眼で観察可能であれば、貫通孔の配列と潜像パターンとから潜像を推定することが可能になる。これに対し、可視化パターンが背景のうち特定視覚効果を有しない部分の一部を透視可能とし、他の一部を遮蔽するものである場合、貫通孔の配列と潜像パターンの両者を対比しても、潜像を推定することは困難である。
【００４２】
図１に示す例のように、第一の潜像パターン１１や第二の潜像パターン１２が行列状に配列された多数のドットで構成されている場合であっても、可視化パターンの貫通孔は、潜像パターン１１，１２のドットと同一の大きさである必要はないし、その配列の方向やピッチも同一である必要はない。図４は図１の可視化パターンの例であって、その貫通孔１３ａは行列状に配列されたドットで構成されているが、貫通孔１３ａの大きさは、第一の潜像パターン１１や第二の潜像パターン１２のドットよりも小さい。また、そのピッチも第一の潜像パターン１１や第二の潜像パターン１２のドットのピッチよりも小さい。もっとも、図４は説明用の図面であって、図１の第一の潜像パターン１１や第二の潜像パターン１２に対応させて貫通孔の大きさやピッチを正確に描画した図面ではない。また、図中、１３ｂ１，１３ｂ２は、いずれも、貫通孔１３ａのない部分、すなわち、第一の潜像パターン１１や第二の潜像パターン１２に重ねたとき、第一の潜像パターン１１や第二の潜像パターン１２の背景を遮蔽する部分を示しており、行列状に配列された貫通孔１３ａ同士の間隙を貫通孔１３ａのない部分１３ｂ１で示し、行列状に配列された貫通孔１３ａが存在すべきであるにも拘らず、貫通孔１３ａが欠如している部分を１３ｂ２で示している。
【００４３】
貫通孔は、例えば、径１００μｍ以下であってよい。径１００μｍ以下の場合、貫通孔の存在そのものは観察可能であっても、注意深く観察しなければ発見することが困難である。また、径１０μｍ以下の貫通孔は、注意深く観察しても肉眼による認知そのものが困難である。径５〜１０μｍの微細な貫通孔であっても、この貫通孔から透視できる潜像と背景とが高いコントラストを有する場合には、十分に潜像を知覚認識することができる。また、判定シートの背後に光源を配置することによって、一層明瞭に知覚認識することが可能である。径５〜１００μｍの貫通孔は、例えばレーザー光を基材シートに照射して形成することができる。
【００４４】
貫通孔の大きさが小さなものであっても、貫通孔の密度を大きくすることによって、その大きさと密度の積で表される貫通孔の占有面積が大きくなり、潜像を明確に知覚認識することができる。なお、好ましくは、径とピッチがいずれも８０μｍ以上である。
【００４５】
このような微細な貫通孔１３ａから構成される可視化パターン１３を図１に示す判定シートに適用し、中心線ｙから折り曲げて第一の潜像パターン１１に可視化パターン１３を重ねた状態を図５に示す。図５から分かるように、潜像（アルファベットの「Ｎ」の文字）を構成するドット１１ａ１は貫通孔１３ａから透視できる。これに対して、背景を構成するドットのうち特定視覚効果を有するドット１１ｂ１は、貫通孔１３ａのない部分１３ｂに遮蔽されて透視することができない。そして、背景を構成するドットのうち特定視覚効果を持たないドット１１ｂ２には、貫通孔１３ａから透視できるものと透視できないものとがある。いずれにしても、可視化パターン１３を重ねたとき、特定視覚効果の黒色に見える部分は、潜像（アルファベットの「Ｎ」の文字）の形状をしているのである。
【００４６】
同様に、中心線ｘから折り曲げて第二の潜像パターン１２に可視化パターン１３を重ねた状態を図６に示す。この場合にも、特定視覚効果の黒色に見える部分は、潜像（アルフ
ァベットの「Ｔ」の文字）の形状をしている。
【００４７】
なお、可視化パターン１３の裏面の位置に任意の絵柄や文字を印刷しておくことも可能である。この場合には、判定シートを折り曲げて潜像パターンに可視化パターンを重ね合わせたとき、貫通孔１３ａから透視できる潜像の周囲に前記印刷が観察できるから、これら潜像と前記印刷とが一体の画像として認知できる。そして、この一体画像の有無によって判定することが可能となる。
【００４８】
以上、判定シートが商品券である場合を例として説明したが、任意の債券やくじとして利用できることは明らかである。
【符号の説明】
【００４９】
１‥基材シート
１１‥第一の潜像パターン
１１ａ‥第一の潜像
１１ａ１‥第一の潜像を構成するドット
１１ｂ１‥第一の潜像パターンの背景を構成するドットのうち、特定視覚効果を有するドット
１１ｂ２‥第一の潜像パターンの背景を構成するドットのうち、特定視覚効果を持たないドット
１２‥第二の潜像パターン
１２ａ‥第二の潜像
１２ａ１‥第二の潜像を構成するドット
１２ｂ１‥第二の潜像パターンの背景を構成するドットのうち、特定視覚効果を有するドット
１２ｂ２‥第二の潜像パターンの背景を構成するドットのうち、特定視覚効果を持たないドット
１３‥可視化パターン
１３ａ‥貫通孔
１３ｂ‥可視化パターンのうち、貫通孔１３ａのない部分
ｘ‥基材シートの長辺に平行な中心線
ｙ‥基材シートの短辺に平行な中心線
【図１】
2015089621.tif 000003
【図２】
2015089621.tif 000004
【図３】
2015089621.tif 000005
【図４】
2015089621.tif 000006
【図５】
2015089621.tif 000007
【図６】
2015089621.tif 000008